(57)【要約】【課題】無線ダイレクトを起動すればよいことをユーザーに通知可能とする技術を提供することを目的とする。【解決手段】情報処理装置は、無線ダイレクト設定が有効か否かを示す情報を近接無線通信が可能なタグに書き込む。携帯端末は、近接無線通信を介してタグより情報を取得し、情報処理装置と接続できなかった場合、取得した情報に基づいて、情報処理装置と通信できなかった旨のエラー画面と、情報処理装置でダイレクト接続を開始してから操作を行えば情報処理装置と接続できる旨のエラー画面と、を切り替えて表示する。【選択図】図６
2018019279.tif 000002
【特許請求の範囲】
【請求項１】
情報処理装置と、携帯端末と、を含むシステムであって、
前記情報処理装置は、
無線ダイレクト設定が有効か否かを示す情報を近接無線通信が可能なタグに書き込む書き込み手段を有し、
前記携帯端末は、
前記近接無線通信を介して前記タグより前記情報を取得する取得手段と、
前記情報処理装置と接続できなかった場合、前記取得手段により取得された前記情報に基づいて、前記情報処理装置と通信できなかった旨のエラー画面と、前記情報処理装置でダイレクト接続を開始してから操作を行えば前記情報処理装置と接続できる旨のエラー画面と、を切り替えて表示する表示制御手段と、
を有するシステム。
【請求項２】
前記表示制御手段は、前記取得手段により取得された前記情報が、前記無線ダイレクト設定が有効であることを示していた場合、前記情報処理装置でダイレクト接続を開始してから操作を行えば前記情報処理装置と接続できる旨のエラー画面を表示し、前記取得手段により取得された前記情報が、前記無線ダイレクト設定が有効でないことを示していた場合、前記情報処理装置と通信できなかった旨のエラー画面を表示する請求項１記載のシステム。
【請求項３】
前記情報処理装置は、前記無線ダイレクト設定を有効にするか、無効にするかを設定する設定手段を更に有し、
前記書き込み手段は、前記設定手段による前記設定に基づいて、前記無線ダイレクト設定が有効か否かを示す情報を近接無線通信が可能なタグに書き込む請求項１又は２記載のシステム。
【請求項４】
前記設定手段は、操作部に表示された設定画面を介した操作に応じて、前記無線ダイレクト設定を有効にするか、無効にするかを設定する請求項３記載のシステム。
【請求項５】
前記書き込み手段は、有線ＬＡＮ接続モード、又は無線ダイレクト接続モードに応じて、異なるフォーマットの情報を前記タグに書き込む請求項１乃至４の何れか１項記載のシステム。
【請求項６】
前記無線ダイレクト設定が有効か否かを示す情報は前記有線ＬＡＮ接続モードのフォーマットに書き込まれる請求項５記載のシステム。
【請求項７】
前記タグは、ＮＦＣタグである請求項１乃至６の何れか１項記載のシステム。
【請求項８】
前記情報処理装置は、印刷装置である請求項１乃至７の何れか１項記載のシステム。
【請求項９】
情報処理装置と、携帯端末と、を含むシステムであって、
前記情報処理装置は、
無線ダイレクト設定が有効か否かを示す情報を、近接無線通信を介して送信する送信手段を有し、
前記携帯端末は、
前記近接無線通信を介して前記情報を受信する受信手段と、
前記情報処理装置と接続できなかった場合、前記受信手段により受信された前記情報に基づいて、無線ダイレクト接続を開始できるか否か判定する判定手段と、
前記判定手段により前記無線ダイレクト接続を開始できると判定された場合、前記近接無線通信を介して前記情報処理装置に前記無線ダイレクト接続の開始を指示する制御手段と、
を有するシステム。
【請求項１０】
前記制御手段は、前記判定手段により前記無線ダイレクト接続を開始できないと判定された場合、前記情報処理装置と通信できなかった旨のエラー画面を表示する請求項９記載のシステム。
【請求項１１】
前記情報処理装置は、前記無線ダイレクト設定を有効にするか、無効にするかを設定する設定手段を更に有し、
前記送信手段は、前記設定手段による前記設定に基づいて、前記無線ダイレクト設定が有効か否かを示す情報を、前記近接無線通信を介して送信する請求項９又は１０記載のシステム。
【請求項１２】
前記設定手段は、操作部に表示された設定画面を介した操作に応じて、前記無線ダイレクト設定を有効にするか、無効にするかを設定する請求項１１記載のシステム。
【請求項１３】
前記近接無線通信は、Ｂｌｕｅｔｏｏｔｈ  Ｌｏｗ  Ｅｎｅｒｇｙである請求項９乃至１２の何れか１項記載のシステム。
【請求項１４】
前記情報処理装置は、印刷装置である請求項９乃至１３の何れか１項記載のシステム。
【請求項１５】
無線ダイレクト設定を有効にするか、無効にするかを設定する設定手段と、
前記設定手段による前記設定に基づいて、前記無線ダイレクト設定が有効か否かを示す情報を近接無線通信が可能なタグに書き込む書き込み手段と、
を有する情報処理装置。
【請求項１６】
無線ダイレクト設定を有効にするか、無効にするかを設定する設定手段と、
前記設定手段による前記設定に基づいて、前記無線ダイレクト設定が有効か否かを示す情報を、近接無線通信を介して送信する送信手段と、
を有する情報処理装置。
【請求項１７】
近接無線通信を介して情報処理装置のタグより無線ダイレクト設定が有効か否かを示す情報を取得する取得手段と、
前記情報処理装置と接続できなかった場合、前記取得手段により取得された前記情報に基づいて、前記情報処理装置と通信できなかった旨のエラー画面と、前記情報処理装置でダイレクト接続を開始してから操作を行えば前記情報処理装置と接続できる旨のエラー画面と、を切り替えて表示する表示制御手段と、
を有する携帯端末。
【請求項１８】
近接無線通信を介して無線ダイレクト設定が有効か否かを示す情報を受信する受信手段と、
情報処理装置と接続できなかった場合、前記受信手段により受信された前記情報に基づいて、無線ダイレクト接続を開始できるか否か判定する判定手段と、
前記判定手段により前記無線ダイレクト接続を開始できると判定された場合、前記近接無線通信を介して前記情報処理装置に前記無線ダイレクト接続の開始を指示する制御手段と、
を有する携帯端末。
【請求項１９】
情報処理装置と、携帯端末と、を含むシステムにおける情報処理方法であって、
前記情報処理装置が、無線ダイレクト設定が有効か否かを示す情報を近接無線通信が可能なタグに書き込む書き込みステップと、
前記携帯端末が、前記近接無線通信を介して前記タグより前記情報を取得する取得ステップと、
前記携帯端末が、前記情報処理装置と接続できなかった場合、前記取得ステップにより取得された前記情報に基づいて、前記情報処理装置と通信できなかった旨のエラー画面と、前記情報処理装置でダイレクト接続を開始してから操作を行えば前記情報処理装置と接続できる旨のエラー画面と、を切り替えて表示する表示制御ステップと、
を含む情報処理方法。
【請求項２０】
情報処理装置と、携帯端末と、を含むシステムにおける情報処理方法であって、
前記情報処理装置が、無線ダイレクト設定が有効か否かを示す情報を、近接無線通信を介して送信する送信ステップと、
前記携帯端末が、前記近接無線通信を介して前記情報を受信する受信ステップと、
前記携帯端末が、前記情報処理装置と接続できなかった場合、前記受信ステップにより受信された前記情報に基づいて、無線ダイレクト接続を開始できるか否か判定する判定ステップと、
前記携帯端末が、前記判定ステップにより前記無線ダイレクト接続を開始できると判定された場合、前記近接無線通信を介して前記情報処理装置に前記無線ダイレクト接続の開始を指示する制御ステップと、
を含む情報処理方法。
【請求項２１】
情報処理装置が実行する情報処理方法であって、
無線ダイレクト設定を有効にするか、無効にするかを設定する設定ステップと、
前記設定ステップによる前記設定に基づいて、前記無線ダイレクト設定が有効か否かを示す情報を近接無線通信が可能なタグに書き込む書き込みステップと、
を含む情報処理方法。
【請求項２２】
情報処理装置が実行する情報処理方法であって、
無線ダイレクト設定を有効にするか、無効にするかを設定する設定ステップと、
前記設定ステップによる前記設定に基づいて、前記無線ダイレクト設定が有効か否かを示す情報を、近接無線通信を介して送信する送信ステップと、
を含む情報処理方法。
【請求項２３】
携帯端末が実行する情報処理方法であって、
近接無線通信を介して情報処理装置のタグより無線ダイレクト設定が有効か否かを示す情報を取得する取得ステップと、
前記情報処理装置と接続できなかった場合、前記取得ステップにより取得された前記情報に基づいて、前記情報処理装置と通信できなかった旨のエラー画面と、前記情報処理装置でダイレクト接続を開始してから操作を行えば前記情報処理装置と接続できる旨のエラー画面と、を切り替えて表示する表示制御ステップと、
を含む情報処理方法。
【請求項２４】
携帯端末が実行する情報処理方法であって、
近接無線通信を介して無線ダイレクト設定が有効か否かを示す情報を受信する受信ステップと、
情報処理装置と接続できなかった場合、前記受信ステップにより受信された前記情報に基づいて、無線ダイレクト接続を開始できるか否か判定する判定ステップと、
前記判定ステップにより前記無線ダイレクト接続を開始できると判定された場合、前記近接無線通信を介して前記情報処理装置に前記無線ダイレクト接続の開始を指示する制御ステップと、
を含む情報処理方法。
【請求項２５】
コンピュータを、請求項１５又は１６記載の情報処理装置の各手段として機能させるためのプログラム。
【請求項２６】
コンピュータを、請求項１７又は１８記載の携帯端末の各手段として機能させるためのプログラム。
【発明の詳細な説明】
【技術分野】
【０００１】
本発明は、システム、情報処理装置、携帯端末、情報処理方法及びプログラムに関する。
【背景技術】
【０００２】
無線通信をする技術として情報処理装置自身が無線基地局となって携帯端末と無線ダイレクトに接続できるものがある。ここで、無線ダイレクト接続は一時的な接続であるため、Ｗｉ−Ｆｉ接続するためのＩＤ（ＳＳＩＤ）やＰａｓｓｋｅｙは一時的なものであり、接続毎に異なる場合が多い。そのため、携帯端末から無線ダイレクト接続するためには毎回、携帯端末でそれらの値を入力して接続する必要がある。
そのための解決手段として、携帯端末で手入力せずにＩＤ／Ｐａｓｓｋｅｙを格納したＮＦＣタグを情報処理装置に装着し、携帯端末でＮＦＣタグにタッチし認識し、ＩＤ／Ｐａｓｓｋｅｙを設定する方法がある（特許文献１）。
【先行技術文献】
【特許文献】
【０００３】
【特許文献１】特開２０１３−１５７７３６号公報
【発明の概要】
【発明が解決しようとする課題】
【０００４】
情報処理装置が無線ダイレクト機能を有しているが、無線ダイレクトが起動されておらず有線ＬＡＮ接続で動作している場合を考える。この場合、ＮＦＣタグには、ＳＳＩＤ／Ｐａｓｓｋｅｙが含まれず、情報処理装置のＩＰアドレスのみが格納されている。
ここで、ユーザーは情報処理装置が接続する無線アクセスポイントのＳＳＩＤ／Ｐａｓｓｋｅｙを知らず、情報処理装置が接続されている無線アクセスポイントに通信できない場合を考える。この場合、無線アクセスポイントと接続できなくても、無線ダイレクトを起動すれば接続可能であるが、単にＮＦＣタッチをしただけでは、情報処理装置への接続エラーとなるだけで、ユーザーは無線ダイレクトを起動すればよいかを知ることができない課題がある。
本発明は、無線ダイレクトを起動すればよいことをユーザーに通知可能とする技術を提供することを目的とする。
【課題を解決するための手段】
【０００５】
本発明は、情報処理装置と、携帯端末と、を含むシステムであって、前記情報処理装置は、無線ダイレクト設定が有効か否かを示す情報を近接無線通信が可能なタグに書き込む書き込み手段を有し、前記携帯端末は、前記近接無線通信を介して前記タグより前記情報を取得する取得手段と、前記情報処理装置と接続できなかった場合、前記取得手段により取得された前記情報に基づいて、前記情報処理装置と通信できなかった旨のエラー画面と、前記情報処理装置でダイレクト接続を開始してから操作を行えば前記情報処理装置と接続できる旨のエラー画面と、を切り替えて表示する表示制御手段と、を有する。
【発明の効果】
【０００６】
本発明によれば、無線ダイレクトを起動すればよいことをユーザーに通知可能とする技術を提供することができる。
【図面の簡単な説明】
【０００７】
【図１】通信システムのシステム構成の一例を示す図である。
【図２】携帯端末のハードウェア構成の一例を示す図である。
【図３】携帯端末のソフトウェア構成の一例を示す図である。
【図４】印刷装置のハードウェア構成の一例を示す図である。
【図５】印刷装置のソフトウェア構成の一例を示す図である。
【図６】実施形態１の携帯端末の情報処理の一例を示すフローチャートである。
【図７】実施形態１の携帯端末の画面の一例を示す図である。
【図８】印刷装置の画面の一例を示す図である。
【図９】実施形態１の印刷装置の情報処理の一例を示すフローチャートである。
【図１０】印刷装置の設定画面の一例を示す図である。
【図１１】実施形態１の印刷装置の情報処理の一例を示すフローチャートである。
【図１２】実施形態２の携帯端末の情報処理の一例を示すフローチャートである。
【図１３】実施形態２の携帯端末の画面の一例を示す図である。
【図１４】実施形態２の印刷装置の情報処理の一例を示すフローチャートである。
【発明を実施するための形態】
【０００８】
以下、本発明の実施形態について図面に基づいて説明する。
【０００９】
＜実施形態１＞
図１を用いて、通信システムのシステム構成を説明する。通信システムは、携帯端末１００、印刷装置１１０、印刷装置に添付されるＮＦＣタグ１１１、印刷装置が接続する有線ＬＡＮ接続１１２を含む。また、通信システムは、印刷装置が基地局として動く無線ダイレクト接続１１３、無線アクセスポイント１３０、無線アクセスポイント１３０からの無線通信１３１とで構成される。
印刷装置１１０は、無線アクセスポイント１３０との間でＬＡＮケーブル等を用いた有線ＬＡＮ接続１１２で接続される。また、印刷装置１１０は、印刷装置自体が無線アクセスポイントとなって、無線ダイレクト接続１１３を提供する。
携帯端末１００は、Ｗｉ−Ｆｉ等の無線通信を実行可能である。ユーザーは無線アクセスポイント１３０のＳＳＩＤやＰａｓｓｋｅｙを携帯端末１００に入力する。これにより、携帯端末１００は、無線アクセスポイント１３０や印刷装置１１０の無線ダイレクト接続１１３に接続できる。そして、携帯端末１００は、無線通信で探索パケットを送信することで、ネットワーク上に存在する印刷装置１１０等を見つけることができる。加えて、携帯端末１００は、無線アクセスポイント１３０や無線ダイレクト接続１１３を介して印刷装置１１０と通信することができる。携帯端末１００は、無線アクセスポイント１３０や無線ダイレクト接続１１３を介して印刷装置１１０等の外部装置に印刷ジョブを送信することができる。印刷ジョブを受信した印刷装置１１０は、印刷を実行する。
また、携帯端末１００と印刷装置１１０とは、ＮＦＣやＢｌｕｅｔｏｏｔｈ（登録商標）等の近接無線通信を実行することができる。本実施形態の場合、印刷装置１１０は、ＮＦＣタグ１１１を備えている。そして、携帯端末１００は、ＮＦＣタグ１１１に格納されている印刷装置１１０に接続するための情報（印刷装置のＩＰアドレス、ＭＡＣアドレス、モデル名、無線ダイレクト接続１１３のＳＳＩＤ、Ｐａｓｓｋｅｙ）を読みとることができる。印刷装置１１０に接続するための情報の詳細は表Ａ、表Ｂとして別途説明する。
【００１０】
次に図２を用いて、携帯端末１００のハードウェア構成を説明する。本実施形態の携帯端末１００はスマートフォンやタブレットＰＣ等の装置を想定しているが、無線通信と二次元バーコードの読み取りとを実行可能な情報処理装置であれば他の装置であってもよい。
ＣＰＵ２０１は、ＲＯＭ２０２が記憶しているプログラムを読み出して、携帯端末１００の動作を制御するための様々な処理を実行する。ＲＯＭ２０２は、プログラムを記憶している。ＲＡＭ２０３は、ＣＰＵ２０１の主メモリ、ワークエリア等の一時記憶領域として用いられる。フラッシュメモリー２０４は、写真や電子文書等の様々なデータを記憶する。また、後述するＯＳ（Ｏｐｅｒａｔｉｎｇ  Ｓｙｓｔｅｍ）３０２のプログラムや印刷装置用アプリケーション３０１のプログラムもフラッシュメモリー２０４に記憶されている。
本明細書では、１つのＣＰＵ２０１がＲＯＭ２０２に記憶されているプログラムに基づき処理を実行することにより携帯端末１００のソフトウェア構成及び後述する図６、図１２のフローチャートに示す各処理を実行するものとするが、他の態様であってもよい。例えば、複数のＣＰＵが協働してＲＯＭ２０２に記憶されているプログラムに基づき処理を実行し、携帯端末１００のソフトウェア構成及び後述する図６、図１２のフローチャートに示す各処理を実行するようにしてもよい。
【００１１】
操作パネル２０５は、ユーザーのタッチ操作を検出可能なタッチパネル機能を備える。そして、ＯＳ３０２やアプリケーションが提供する各種画面を表示する。ユーザーは操作パネル２０５にタッチ操作を入力することで、携帯端末１００に所望の操作指示をＣＰＵ２０１に入力することができる。なお、携帯端末１００はハードウェアキーを備えていて、ユーザーはこのハードウェアキーを用いて携帯端末１００に操作指示を入力することもできる。
スピーカ２０６とマイク２０７とは、ユーザーが他の携帯端末や固定電話と電話をする際に使用される。
近接無線通信部２０８は、ＮＦＣの近接無線通信を実行する。本実施形態の場合、印刷装置１１０がＮＦＣタグを備えている。ユーザーが携帯端末１００を印刷装置１１０のＮＦＣタグ１１１に近付けることで、近接無線通信部２０８と印刷装置１１０のＮＦＣタグ１１１との間で近接無線通信が確立される。加えて、近接無線通信部２０８がＮＦＣタグの情報を取得できる。
無線通信部２０９は、Ｗｉ−Ｆｉ等の無線通信を実行する。携帯端末１００は、無線通信部２０９から探索パケットを送信することで、無線アクセスポイント１３０経由で通信できる印刷装置１１０を探索・発見することができる。また、携帯端末１００の場合、ハンドオーバーを用いることで、ユーザーにしてみれば簡単な操作で無線通信部２０９による無線通信を実現することができる。より具体的には、印刷装置１１０のＮＦＣタグ１１１から近接無線通信部２０８が取得した接続情報（無線ダイレクト接続１１３のＳＳＩＤやＰａｓｓｋｅｙ）を用いることで、無線通信部２０９は無線ダイレクト接続１１３に接続することができる。
【００１２】
次に図３を用いて、携帯端末１００のソフトウェア構成を説明する。
ＯＳ３０２は、携帯端末１００全体の動作を制御するためのソフトウェアである。携帯端末１００には、後述する印刷装置用アプリケーション３０１を含め、様々なアプリケーションをインストールすることができる。ＯＳ３０２は、これらのアプリケーションとの間で情報をやり取りし、アプリケーションから受けた指示に従って、操作パネル２０５に表示する画面を変更する。加えて、ＯＳ３０２は、近接無線通信部２０８、無線通信部２０９による無線通信を実行する。
印刷装置用アプリケーション３０１は、携帯端末１００にインストールされたアプリケーションである。印刷装置用アプリケーション３０１は、近接無線通信部２０８を用いて印刷装置を検索したりＮＦＣタグ１１１に書き込まれた印刷装置１１０と通信するための情報を用いて、印刷装置１１０に接続して印刷処理したりするアプリケーションである。
携帯端末１００には、印刷装置用アプリケーション３０１の他に様々なアプリケーションがインストールされているが、説明を省略する。
【００１３】
次に図４を用いて、印刷装置１１０のハードウェア構成を説明する。
図４において、印刷装置１１０のコントローラユニット４０１は、文書等の画像を読み取って画像データを入力する画像入力デバイスとしてのスキャナ４５１や画像出力デバイスであるプリンタ４５２と接続する。また、コントローラユニット４０１は、図１で示した携帯端末１００と無線アクセスポイント１３０や無線ダイレクト接続１１３を経由して通信を行う。コントローラユニット４０１は、それらの機器と接続することで、画像情報やデバイス情報の入出力を行うためのコントローラである。
ＣＰＵ４１１は、図１の印刷装置１１０内のシステム全体を制御する。ＲＡＭ４１２は、ＣＰＵ４１１が動作するためのシステムワークメモリであり、かつ、画像データを一時記憶するための画像メモリである。ＲＯＭ４１５は、ブートＲＯＭであり、印刷装置１１０のシステムのブートプログラムが格納されている。
メモリ４１６は、印刷装置１１０のハードディスクドライブである。メモリ４１６には、図５に示すシステムソフトウェアやアプリケーションソフトウェアのプログラム、画像データが格納される。メモリ４１６の画像データ用格納領域には、携帯端末１００から受信した印刷ジョブが格納される。
操作部Ｉ／Ｆ４１３は、操作部４１４とのインタフェース部であり、操作部４１４に表示する画像データを操作部４１４に対して出力する。また、操作部Ｉ／Ｆ４１３は、操作部４１４から印刷装置１１０のユーザーが入力した情報をＣＰＵ４１１に伝える機能を有する。
【００１４】
近接無線通信部４１８は、ＮＦＣタグ１１１であり、携帯端末１００と近接無線通信を行うことができる。有線ネットワークＩ／Ｆ４２１は、有線ＬＡＮ接続１１２に接続され、無線アクセスポイント１３０経由で携帯端末１００と情報の入出力を行う。無線ネットワークＩ／Ｆ４１９は、無線ダイレクト接続１１３に対応し、無線ネットワークと通信し、携帯端末１００と情報の入出力を行う。
Ｉｍａｇｅ  ＢｕｓＩ／Ｆ４１７は、データ構造を変換するバスブリッジであり、システムバス４２０及び画像データを高速で転送する画像バス４３７に接続されている。画像バス４３７は、ＰＣＩバス又はＩＥＥＥ１３９４で構成される。画像バス４３７上には、ラスターイメージプロセッサ（ＲＩＰ）４３２、デバイスＩ／Ｆ４３３、スキャナ画像処理部４３４、プリンタ画像処理部４３５、画像回転部４３６、及び画像圧縮伸張・密度変換部４３１の各デバイスが配置される。
ＲＩＰ４３２は、ＰＤＬコードをビットマップイメージに展開する。デバイスＩ／Ｆ４３３は、スキャナ４５１やプリンタ４５２とコントローラユニット４０１とを接続する。スキャナ画像処理部４３４は、スキャナ４５１より入力された画像データに対して補正、加工、及び編集を行う。プリンタ画像処理部４３５は、プリンタ４５２に出力する画像データに対して印刷補正、解像度変換等を行う。画像回転部４３６は、画像データの回転を行う。画像圧縮伸張・密度変換部４３１は、多値画像データをＪＰＥＧに変換したり、２値画像データに対してＪＢＩＧ、ＭＭＲ、又はＭＨの圧縮伸長処理をしたりする。
【００１５】
次に図５を用いて、印刷装置１１０のソフトウェア構成を説明する。
Ｓｃａｎ機能部５０２は、スキャナ４５１を用いたＳｃａｎ機能を提供する。Ｓｃａｎ機能部５０２は、紙文書を読み取り、二値又は多値画像データに変換する機能を有する。Ｓｃａｎ機能部５０２は、Ｓｃａｎ機能部５０２により読み取られ、画像データに変換された画像を、プリンタ４５２に対するコマンドを付加してプリンタ４５２に出力する機能を有する。
ジョブ制御機能部５０４は、Ｓｃａｎ機能部５０２から受信した画像データをプリントジョブとしてキューイングし、順次、Ｐｒｉｎｔ機能部５０３や、後述するネットワーク機能部５０５に対して出力する。
ネットワーク機能部５０５は、ＴＣＰ／ＩＰ、ＨＴＴＰ、ＦＴＰ、ＬＤＡＰ、ＳＮＭＰ、ＳＭＴＰ、ＳＳＬ、ＳＭＢ等の各種ネットワークプロトコル機能を有する。例えば、ネットワーク機能部５０５は、有線ＬＡＮ接続１１２や無線ネットワークを経由して携帯端末１００からの印刷ジョブを受信することができる。
ユーザインターフェース（ＵＩ）機能部５０６は、印刷装置１１０の操作部４１４のユーザーによる入出力を管理する。加えて、ＵＩ機能部５０６は、操作部４１４上に入力フィールド、出力メッセージフィールド等を表示し、ユーザーからの入力フィールドに対する入力値を受け取り、他機能部に通知する。また、ＵＩ機能部５０６は、他機能部からのユーザーに対するメッセージを予めデザインされた画面に表示する機能を有する。また、ＵＩ機能部５０６は、ＮＦＣタグ１１１である、近接無線通信部４１８に、ネットワーク機能部５０５の動作モードに応じた接続情報（印刷装置１１０のＩＰアドレスや無線ダイレクト接続１１３のＳＳＩＤやＰａｓｓｋｅｙ）を格納することができる。
【００１６】
図６は、実施形態１における、携帯端末１００で印刷装置１１０のＮＦＣタグ１１１にタッチし、印刷装置１１０に接続を試みる情報処理の一例を示すフローチャートである。
ユーザーによって印刷操作等が行われると、ＣＰＵ２０１は、操作パネル２０５に図７（Ａ）に示す画面を表示する。ユーザーは、図７（Ａ）の画面の指示に従い、携帯端末１００を印刷装置１１０のＮＦＣタグ１１１にタッチする。ｓ６１０において、ＣＰＵ２０１は、近接無線通信部２０８を用いて、印刷装置１１０のＮＦＣタグ１１１に格納されている情報を読み取り、読み取った情報を解析する。ＮＦＣタグ１１１には、次に示す表Ａ又は表Ｂのような情報が、印刷装置１１０にハンドオーバーするための情報として格納されている。
ここで、ｓ６１０でＣＰＵ２０１が読み込むＮＦＣタグ１１１のフォーマットを記載する。このフォーマットは表Ａ、表Ｂの２種類あり、表Ａは印刷装置１１０が有線ＬＡＮ接続１１２で接続されており、無線ダイレクト接続１１３が開始されていない場合である。表Ｂは印刷装置１１０が無線ダイレクト接続１１３を開始している場合である。
【００１７】
まず表Ａの１つ目は、起動アプリケーション情報で、携帯端末をＮＦＣタグ１１１にタッチした場合に起動するアプリケーション名が記載される。表１の場合では、ｃｏｍ．ｅｘａｍｐｌｅ．ｐｒｉｎｔａｐｐという名前のＮＦＣ連携印刷アプリケーションが起動されることを示している。２つ目は、ネットワーク接続情報であるＭＡＣアドレスのレコードである。印刷装置１１０のＭＡＣアドレスを示している。本実施形態では、ＭＡＣアドレスのみを記載しているが、ＩＰアドレスやＵＵＩＤ等、印刷装置１１０を区別できる情報の組み合わせであってもよい。３つ目は、印刷装置名情報を格納するレコードである。本実施形態では印刷装置名としてＰｒｉｎｔｅｒ０１が格納される。四つ目は、後ほど述べるｄｍｏｄｅ部分である。ここには、１又は０のどちらかの値が入っている。
【表１】
2018019279.tif 000003
【００１８】
次に表Ｂの内、１．起動アプリケーション情報と、３．ネットワーク接続情報と、４．印刷装置名情報は、表Ａのそれぞれのレコードと同一である。表Ａに含まれず表Ｂに含まれるのは、印刷装置１１０に接続できる無線ダイレクト接続１１３のＳＳＩＤとＰａｓｓｗｏｒｄ情報からなる、Ｗｉ−Ｆｉ接続情報である。また、表Ｂにはｄｍｏｄｅは含まれない。これは、フォーマットが既に無線ダイレクト接続用の情報を示しているからである。表１、表２に示されるように、表Ａ、表Ｂは異なるフォーマットである。
【表２】
2018019279.tif 000004
【００１９】
ｓ６１１において、ＣＰＵ２０１は、ｓ６１０で取得した印刷装置情報（接続情報）から、印刷装置１１０が有線ＬＡＮ接続１１２で接続されているか、無線ダイレクト接続１１３であるかを判断する。より具体的には、ＣＰＵ２０１は、接続情報に無線ダイレクト接続１１３のＳＳＩＤ／Ｐａｓｓｋｅｙが含まれている場合（表Ｂ）、無線ダイレクト接続１１３と判断し、そうでない場合、有線ＬＡＮ接続と判断する。ＣＰＵ２０１は、無線ダイレクト接続１１３と判断した場合、ｓ６２１に移り、有線ＬＡＮ接続と判断した場合、ｓ６１２に移る。
ｓ６２１において、ＣＰＵ２０１は、無線通信部２０９の接続先をＮＦＣタグ１１１に含まれるＳＳＩＤ／Ｐａｓｓｋｅｙに切り替えて、無線ダイレクト接続１１３を行う。そして、ＣＰＵ２０１は、ＮＦＣタグ１１１を読み取った際に取得したネットワーク接続情報等に基づき携帯端末１００と印刷装置１１０とが通信できる状態にし、印刷装置１１０と通信する。
一方、ｓ６１２において、ＣＰＵ２０１は、有線ＬＡＮ情報で印刷装置１１０との接続を試みる。
ｓ６１３において、ＣＰＵ２０１は、一定時間内に印刷装置１１０に接続できたかを判断する。ＣＰＵ２０１は、一定時間内に印刷装置１１０に接続できた場合、ｓ６３１に移り、一定時間内に印刷装置１１０に接続できなかった場合、ｓ６１４に移る。ｓ６３１において、ＣＰＵ２０１は、印刷装置１１０と有線ＬＡＮ経由で通信を行う。一方、携帯端末１００が、無線アクセスポイント１３０とは別の無線アクセスポイントに接続中であったり、無線通信部２０９が停止中であったりする場合、一定時間内に印刷装置１１０との接続ができず、ｓ６１４に移行することになる。
【００２０】
ｓ６１４において、ＣＰＵ２０１は、ｓ６１０で取得した接続情報から、無線ダイレクト通信の動作モードを示すフラグ、ｄｍｏｄｅを確認する。ｄｍｏｄｅが開始できないことを示す０ならば、印刷装置１１０はユーザー操作等をしても無線ダイレクト接続１１３を開始できないため、ＣＰＵ２０１は、ｓ６１５に移る。ｓ６１５において、ＣＰＵ２０１は、図７（Ｂ）に示すように、操作パネル２０５にエラー画面を表示する。一方、ｄｍｏｄｅが開始可能を示す１ならば、ユーザーが印刷装置１１０を操作して無線ダイレクト接続１１３を有効にすれば接続可能であるため、ＣＰＵ２０１は、ｓ６４１に移る。ｓ６４１において、ＣＰＵ２０１は、図７（Ｃ）に示すように、操作パネル２０５にメッセージを表示する。図７（Ｃ）の表示後どのようなユーザー操作をして印刷装置１１０と通信するかは、後述する。ｓ６１５、ｓ６４１の処理は、表示制御の処理の一例である。
【００２１】
印刷装置１１０の操作部４１４に表示されるメッセージの一例を図８（Ａ）〜図８（Ｃ）に示す。図８（Ａ）のメッセージについては、ＮＦＣタグ１１１に含まれる情報として、ｄｍｏｄｅが１である場合と、０である場合と、で二つのパターンがある。図８（Ａ）の画面は、有線ＬＡＮ接続モードにおけるメッセージ画面の一例である。図８（Ｂ）の画面は、無線ダイレクト未開始の場合のメッセージ画面の一例である。図８（Ｃ）の画面は、無線ダイレクト開始の場合のメッセージ画面の一例である。
また、以下に示すように、ＮＦＣタグ１１１に書き込まれる情報としては３つのパターンがある。そして、以下に示す図９、１１のフローチャートでは、ＮＦＣタグ１１１に書き込む処理としては、ｓ７１１、同じ情報を書くｓ７２１及びｓ８１１、ｓ８２１の４か所の３パターンに分かれている。各ステップの処理については、以下で詳細に述べる。
【００２２】
図９は、実施形態１における、印刷装置１１０の起動時にＮＦＣタグ１１１に情報を書き込む情報処理の一例を示すフローチャートである。
ｓ７０１において、ＣＰＵ４１１は、無線ダイレクト設定が有効であるか否かを無線ダイレクト設定のＦｌａｇに基づき判定する。この無線ダイレクト設定のＦｌａｇは、印刷装置１１０のコントローラユニット４０１のメモリ４１６に保持されており、有効又は無効の情報を保持している。ＣＰＵ４１１は、印刷装置１１０の操作部４１４の図１０の設定画面１１００を介したユーザーの設定操作に基づいて、無線ダイレクト設定のＦｌａｇの有効、無効の情報を設定、変更することができる。ＣＰＵ４１１は、無線ダイレクト設定が有効の場合、ｓ７２１へ移り、無効の場合、ｓ７１１に移る。
ｓ７１１において、ＣＰＵ４１１は、印刷装置１１０には有線ＬＡＮ接続１１２経由での接続であり、無線ダイレクト接続１１３は無効で利用できないことを示す情報をＮＦＣタグ１１１に書き込む。より具体的には、ＣＰＵ４１１は、表Ａのフォーマットで、ｄｍｏｄｅには０の情報を書き込む。この処理により、ｄｍｏｄｅ＝０となり、無線ダイレクト設定が無効であることを携帯端末１００がＮＦＣタグ１１１にタッチして取得可能となる。そして、ＣＰＵ４１１は、図９に示すフローチャートの処理を終了する。
一方、ｓ７２１において、ＣＰＵ４１１は、印刷装置１１０には有線ＬＡＮ接続１１２経由での接続であるが、無線ダイレクト接続１１３は開始操作を行えば利用できることを示す情報をＮＦＣタグ１１１に書き込む。より具体的には、ＣＰＵ４１１は、表Ａのフォーマットで、ｄｍｏｄｅには１の情報を書き込む。この処理により、ｄｍｏｄｅ＝１となり、無線ダイレクト設定が有効であることを携帯端末１００がＮＦＣタグ１１１にタッチして取得可能となる。そして、ユーザーが印刷装置１１０で無線ダイレクトを開始すれば、通信できることをＮＦＣタグ１１１にタッチすることで通知する。そして、ＣＰＵ４１１は、図９に示すフローチャートの処理を終了する。
【００２３】
図９は、実施形態１における、印刷装置１１０の起動時にＮＦＣタグ１１１に情報を書き込む情報処理の一例を示すフローチャートである。
ｓ７０１において、ＣＰＵ４１１は、無線ダイレクト設定が有効であるか否かを無線ダイレクト設定のＦｌａｇに基づき判定する。この無線ダイレクト設定のＦｌａｇは、印刷装置１１０のコントローラユニット４０１のメモリ４１６に保持されており、有効又は無効の情報を保持している。ＣＰＵ４１１は、印刷装置１１０の操作部４１４の環境設定画面（図１０）を介したユーザーの設定操作に基づいて、無線ダイレクト設定のＦｌａｇの有効、無効の情報を設定、変更することができる。ＣＰＵ４１１は、無線ダイレクト設定が有効の場合、ｓ７２１へ移り、無効の場合、ｓ７１１に移る。
【００２４】
ｓ７１１において、ＣＰＵ４１１は、印刷装置１１０には有線ＬＡＮ接続１１２経由での接続であり、無線ダイレクト接続１１３は無効で利用できないことを示す情報をＮＦＣタグ１１１に書き込む。より具体的には、ＣＰＵ４１１は、表Ａのフォーマットで、ｄｍｏｄｅには０の情報を書き込む。この処理により、ｄｍｏｄｅ＝０となり、無線ダイレクト設定が無効であることを携帯端末１００がＮＦＣタグ１１１にタッチして取得可能となる。そして、ＣＰＵ４１１は、図９に示すフローチャートの処理を終了する。
一方、ｓ７２１において、ＣＰＵ４１１は、印刷装置１１０には有線ＬＡＮ接続１１２経由での接続であるが、無線ダイレクト接続１１３は開始操作を行えば利用できることを示す情報をＮＦＣタグ１１１に書き込む。より具体的には、ＣＰＵ４１１は、表Ａのフォーマットで、ｄｍｏｄｅには１の情報を書き込む。この処理により、ｄｍｏｄｅ＝１となり、無線ダイレクト設定が有効であることを携帯端末１００がＮＦＣタグ１１１にタッチして取得可能となる。そして、ユーザーが印刷装置１１０で無線ダイレクトを開始すれば、通信できることをＮＦＣタグ１１１にタッチすることで通知する。そして、ＣＰＵ４１１は、図９に示すフローチャートの処理を終了する。
【００２５】
図１１は、実施形態１における、印刷装置１１０がＮＦＣタグ１１１に情報を書き込む情報処理の一例を示すフローチャートである。印刷装置１１０の操作部４１４に表示されている図８（Ｂ）、（Ｃ）に示されている画面のＳｔａｒｔボタン１００６とＳｔｏｐボタン１００８とを用いてユーザーによって無線ダイレクト接続モードが切り替えられた場合に、状態に応じて情報が書き込まれる。
ｓ８０１において、ＣＰＵ４１１は、無線ダイレクト接続１１３が起動されているか否かを無線ダイレクト接続１１３の起動のＦｌａｇに基づき判定する。この無線ダイレクト接続１１３の起動のＦｌａｇは、印刷装置１１０のコントローラユニット４０１のメモリ４１６に保持されており、起動又は停止の情報を保持している。ＣＰＵ４１１は、無線ダイレクト接続１１３が起動されている場合、ｓ８２１へ移り、停止の場合、ｓ８１１に移る。
【００２６】
ｓ８１１において、ＣＰＵ４１１は、印刷装置１１０には有線ＬＡＮ接続１１２経由での接続であり、無線ダイレクト接続１１３は開始操作を行えば利用できることを示す情報をＮＦＣタグ１１１に書き込む。より具体的には、ＣＰＵ４１１は、表Ａのフォーマットで、ｄｍｏｄｅには１の情報を書き込む。ここで、ｄｍｏｄｅ＝１とすることで無線ダイレクト設定が有効であることを携帯端末１００に、ＮＦＣタグ１１１がタッチされたときに通知することができる。そして、ユーザーが印刷装置１１０で無線ダイレクトを開始すれば、通信できることを通知することができる。そして、ＣＰＵ４１１は、図１１に示すフローチャートの処理を終了する。
一方、ｓ８２１において、ＣＰＵ４１１は、無線ダイレクト起動済みで、無線ダイレクト接続用の情報をＮＦＣタグ１１１に書き込む。より具体的には、ＣＰＵ４１１は、表Ｂのフォーマットで、印刷装置１１０が無線ダイレクトアクセスポイントとして動いているＳＳＩＤ、Ｐａｓｓｋｅｙの情報を書き込む。そして、ＣＰＵ４１１は、図１１に示すフローチャートの処理を終了する。
【００２７】
以上の処理により、印刷装置１１０の無線ダイレクト設定が有効の場合には、ＣＰＵ４１１は、ｓ７２１又はｓ８１１により表１のようなｄｍｏｄｅ＝１の情報をＮＦＣタグ１１１に書き込む。そして、ユーザーが携帯端末１００でＮＦＣタグ１１１にタッチする。すると、携帯端末１００には、無線ダイレクト接続１１３に接続するための情報（ＳＳＩＤ／Ｐａｓｓｋｅｙ）が無いため接続に失敗する。その結果、ｓ６４１により、ＣＰＵ２０１は、図７（Ｃ）のような無線ダイレクト接続１１３の開始を指示する文言を携帯端末１００に表示する。これにより、ユーザーは、印刷装置１１０の操作部４１４に表示されている、図８の画面において無線ダイレクト接続モードボタン１００２を選択する。そして、ユーザーが無線ダイレクト接続１１３を開始するＳｔａｒｔボタン１００６を選択すると、印刷装置１１０は、無線ダイレクト接続機能を開始し、ＮＦＣタグ１１１に表２の内容を書き込む（ｓ８２１）。そこで、ユーザーが再度、携帯端末１００でＮＦＣタグ１１１にタッチすることで、無線ダイレクト接続１１３に接続するための情報（ＳＳＩＤ／Ｐａｓｓｋｅｙ）を取得し、無事、印刷装置１１０に無線ダイレクト接続１１３で接続することができる。
【００２８】
＜実施形態２＞
実施形態１の変形例として実施形態２を説明する。実施形態１では、近接無線通信の一例としてＮＦＣを例に説明を行ったが、実施形態２では、近接無線通信の一例として双方向通信が可能なＢＬＥ（Ｂｌｕｅｔｏｏｔｈ  Ｌｏｗ  Ｅｎｅｒｇｙ）を例に説明を行う。無線ダイレクト設定が有効な（図１０のボタン１１０１が選択されている）場合、実施形態１では、ユーザー操作によって無線ダイレクト接続１１３を開始していたが、本実施形態２では、双方向通信機能によってＢＬＥから無線ダイレクト通信を開始することを示す。なお、実施形態１と共通となる図３、５については説明を省略する。
印刷装置１１０には、実施形態１では、ＮＦＣタグ１１１が内蔵されていたが、実施形態２では、ＮＦＣタグ１１１の代わりにＢＬＥモジュールが内蔵されており、ＢＬＥモジュールにより近接無線通信が確立される。
同様に、近接無線通信部２０８は、実施形態１では、ＮＦＣによる近接無線通信であったが、実施形態２では、ＢＬＥによる近接無線通信である。携帯端末１００と印刷装置１１０との間で近接無線通信が確立され、情報のやりとりを行うことができる。
また、近接無線通信部４１８は、実施形態１では、ＮＦＣタグ１１１であったが、実施形態では、ＢＬＥによる近接無線通信である。
【００２９】
図１２は、実施形態２における、携帯端末１００で印刷装置１１０と近接無線通信を行うことで印刷装置１１０に接続を試みる情報処理の一例を示すフローチャートである。
ユーザーによって印刷操作等が行われると、ｓ１２０１において、ＣＰＵ２０１は、近接無線通信を用いて近くにある印刷装置を検索し、発見した印刷装置のリストを表示する（図１３（Ａ））。
ｓ１２０２において、ＣＰＵ２０１は、操作パネル２０５に表示した図１３（Ａ）の画面におけるユーザーが使いたい印刷装置１１０を示す無線ダイレクト接続開始ボタン１４１１が選択されるのを待つ。ＣＰＵ２０１は、ユーザーが無線ダイレクト接続開始ボタン１４１１を選択した場合、ｓ１２１０に移り、選択しない場合、選択を待つ。
ｓ１２１０において、ＣＰＵ２０１は、近接無線通信部２０８を用いて、ｓ６０２で選択された印刷装置１１０に対して近接無線通信を行い、印刷装置１１０の無線ダイレクト接続１１３の状態を問い合わせ、印刷装置１１０のデバイス情報（接続情報）を取得する。
ｓ１２１１において、ＣＰＵ２０１は、ｓ６１０で取得した、無線ダイレクト接続１１３の状態を示す接続情報から、接続情報は、有線ＬＡＮ接続１１２を示しているか、無線ダイレクト接続１１３を示しているかを判断する。ＣＰＵ２０１は、無線ダイレクト接続１１３と判断した場合、ｓ１２２１に移り、有線ＬＡＮ接続と判断した場合、ｓ１２１２に移る。
【００３０】
ｓ１２２１の処理は印刷装置１１０の無線ダイレクト接続１１３が起動済みの場合の処理である。ｓ１２２１において、ＣＰＵ２０１は、近接無線通信を用いて、印刷装置１１０から、ＳＳＩＤ／Ｐａｓｓｋｅｙを取得する。そして、ＣＰＵ２０１は、無線通信部２０９の接続先を取得したＳＳＩＤ／Ｐａｓｓｋｅｙに切り替えて、印刷装置１１０と無線ダイレクト接続１１３を行う。そして、ＣＰＵ２０１は、近接無線通信を用いて、印刷装置１１０の無線ネットワークのＩＰアドレスの問い合わせを行う。そしてＣＰＵ２０１は、問い合わせ、取得したＩＰアドレスに接続を試み、携帯端末１００と印刷装置１１０とが通信できる状態にし、印刷装置１１０と通信する。
一方、ｓ１２１２において、ＣＰＵ２０１は、有線ＬＡＮ情報で印刷装置１１０との接続を試みる。より具体的には、ＣＰＵ２０１は、近接無線通信を用いて、印刷装置１１０の有線ネットワークのＩＰアドレスの問い合わせを行う。そしてＣＰＵ２０１は、問い合わせた結果、取得したＩＰアドレスに基づき印刷装置１１０と接続を試みる。
ｓ１２１３において、ＣＰＵ２０１は、一定時間内に印刷装置１１０に接続できたかを判断する。ＣＰＵ２０１は、一定時間内に印刷装置１１０に接続できた場合、ｓ１２３１に移り、一定時間内に印刷装置１１０に接続できなかった場合、ｓ１２１４に移る。携帯端末１００が既に無線アクセスポイント１３０に接続済みの場合、ｓ１２１２で取得した印刷装置１１０のＩＰアドレスに接続可能となる。この場合、ＣＰＵ２０１は、ｓ１２３１に移る。ｓ１２３１において、ＣＰＵ２０１は、印刷装置１１０と有線ＬＡＮ経由で通信を行う。一方、携帯端末１００が、無線アクセスポイント１３０とは別の無線アクセスポイントに接続中であったり、無線通信部２０９が停止中であったりする場合、印刷装置１１０との接続ができない。この場合、ＣＰＵ２０１は、ｓ１２１４に移行する。
【００３１】
ｓ１２１４において、ＣＰＵ２０１は、ｓ１２１０で取得した接続情報から、無線ダイレクト通信の動作モードを示すｄｍｏｄｅを確認する。ｄｍｏｄｅが開始できないことを示す０ならば、ＣＰＵ２０１は、ｓ１２１５に移る。ｓ１２１５において、ＣＰＵ２０１は、印刷装置１１０はユーザー操作等をしても無線ダイレクト接続１１３を開始できないため、エラー表示（図１３（Ｂ））を行う。
一方、フラグｄｍｏｄｅが開始可能を示す１ならば、ＣＰＵ２０１は、ｓ１２４１に移る。ｓ１２４１において、ＣＰＵ２０１は、近接無線通信を経由して、印刷装置１１０の無線ダイレクト接続１１３を有効にする。より具体的には、ＣＰＵ２０１は、近接無線通信部２０８を用いて、近接無線通信を介して、印刷装置１１０の無線ダイレクト接続機能の開始を指示する。そして、ｓ１２２１に移り、ＣＰＵ２０１は、無線ダイレクト通信で印刷装置１１０と通信する。
【００３２】
図１４は、実施形態２における、印刷装置１１０の携帯端末１００からの近接無線通信のリクエストに対する情報処理の一例を示すフローチャートである。
ｓ１３０１において、ＣＰＵ４１１は、近接無線通信の携帯端末１００からの処理リクエストを受け取る。
ｓ１３０２において、ＣＰＵ４１１は、ｓ１３０１で受け取ったリクエストの種類によって、以下のｓ１３１１〜ｓ１３７１の処理に分岐する。
無線ダイレクト接続１１３の開始リクエストの場合、ｓ１３１１において、ＣＰＵ４１１は、無線ダイレクト接続機能を開始する。そしてＣＰＵ４１１は、図１４に示すフローチャートの処理を終了する。
無線ダイレクト接続１１３の停止リクエストの場合、ｓ１３２１において、ＣＰＵ４１１は、無線ダイレクト接続機能を停止する。そしてＣＰＵ４１１は、図１４に示すフローチャートの処理を終了する。
無線ダイレクト接続状態問い合わせの場合、ｓ１３３１において、ＣＰＵ４１１は、現在の無線ダイレクト接続機能の状態に対して近接無線通信を用いてリクエスト送信元の携帯端末１００に返す。返す内容としては、停止中、起動済みの情報と、停止中の場合の実施形態１のｄｍｏｄｅに該当する無線ダイレクト設定有効であるかのＦｌａｇ情報（１又は０）と、を返す。そしてＣＰＵ４１１は、図１４に示すフローチャートの処理を終了する。
【００３３】
ＳＳＩＤ／Ｐａｓｓｋｅｙ問い合わせの場合、ｓ１３５１において、ＣＰＵ４１１は、現在の無線ダイレクト接続機能のＳＳＩＤ／Ｐａｓｓｋｅｙに関して近接無線通信を用いてリクエスト送信元の携帯端末１００に返す。そしてＣＰＵ４１１は、図１４に示すフローチャートの処理を終了する。
印刷装置の有線ネットワークＩＰ問い合わせの場合、ｓ１３６１において、ＣＰＵ４１１は、現在の有線ネットワークＩ／Ｆ４２１のＩＰアドレスを、近接無線通信を用いてリクエスト送信元の携帯端末１００に返す。そしてＣＰＵ４１１は、図１４に示すフローチャートの処理を終了する。
印刷装置の無線ダイレクト接続ＩＰ問い合わせの場合、ｓ１３７１において、ＣＰＵ４１１は、現在の無線ダイレクト接続１１３のＩＰアドレスを、近接無線通信を用いてリクエスト送信元の携帯端末１００に返す。そしてＣＰＵ４１１は、図１４に示すフローチャートの処理を終了する。
【００３４】
以上によって、印刷装置１１０の有線ＬＡＮ接続できず、また無線ダイレクト接続１１３が停止中でも、近接無線通信を用いることで、無線ダイレクト通信に自動的に接続することができる。
【００３５】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３６】
以上、本発明の好ましい実施形態について詳述したが、本発明は係る特定の実施形態に限定されるものではない。
【００３７】
以上、上述した各実施形態の処理によれば、近接無線通信情報の中に無線ダイレクトが起動可能状態であるかの情報を格納し、起動可能だが接続に失敗した場合には、その旨をユーザーに通知する。そのことで、ユーザーは携帯端末の表示を見ることのみで接続する手段を知ることができる。
よって、無線ダイレクトを起動すればよいことをユーザーに通知可能とする技術を提供することができる。
【符号の説明】
【００３８】
１００  携帯端末
１１０  印刷装置
２０１  ＣＰＵ
４１１  ＣＰＵ
【図１】
2018019279.tif 000005
【図２】
2018019279.tif 000006
【図３】
2018019279.tif 000007
【図４】
2018019279.tif 000008
【図５】
2018019279.tif 000009
【図６】
2018019279.tif 000010
【図７】
2018019279.tif 000011
【図８】
2018019279.tif 000012
【図９】
2018019279.tif 000013
【図１０】
2018019279.tif 000014
【図１１】
2018019279.tif 000015
【図１２】
2018019279.tif 000016
【図１３】
2018019279.tif 000017
【図１４】
2018019279.tif 000018